(57)【要約】【課題】集塵された塵埃を、手を汚すことなく簡単に廃棄できる集塵容器を提供する。【解決手段】塵埃を捕集する集塵室１３と、集塵室１３に設けられた塵埃排出用の開口部１４と、開口部１４を開閉自在に覆う蓋体１５と、塵埃分離用のメッシュフィルター２９を有すると共に集塵室１３内で捕集した塵埃を押し出す押し出し板２２と、押し出し板２２を操作する操作部１８と、塵埃が流入する流入口２１Ａを有すると共に押し出し板２２の外周部全周に固定され軟質材料で形成したスカート部２１とを備え、スカート部２１の押し出し板２２固定側の他端全周を開口部１４近傍に固定したもので、ごみ捨て時には、操作部１８で押し出し板２２を操作すると、押し出し板２２の動きに伴ってスカート部２１が移動して集塵室１３に捕集された塵埃を囲んで押し出す為、集塵室１３内の塵埃を残さず開口部１４方向へ押し出して、より確実に廃棄できるので、使い勝手が良い。【選択図】図５
2007151856.tif 000002
【特許請求の範囲】
【請求項１】
塵埃を捕集する集塵室と、前記集塵室に設けられた塵埃排出用の開口部と、前記開口部を開閉自在に覆う蓋体と、塵埃を含んだ空気から塵埃を分離するための通気部を有すると共に前記集塵室内で捕集した塵埃を押し出す押し出し板と、前記押し出し板を操作する操作部と、塵埃が流入する流入口を有すると共に押し出し板の外周部全周に固定され軟質材料で形成したスカート部とを備え、前記スカート部の前記押し出し板固定側の他端全周を前記開口部近傍に固定した集塵容器。
【請求項２】
スカート部の押し出し板固定側の他端全周を枠体に固定し、同枠体を開口部の近傍に着脱自在に固定した請求項１に記載の集塵容器。
【請求項３】
枠体を軟質材料で形成し、蓋体が開口部を閉じたときに、前記枠体が前記蓋体に当接するようにした請求項２に記載の集塵容器。
【請求項４】
押し出し板の外寸法幅ｗおよび長さｌと、枠体の内寸法幅Ｗおよび長さＬが、ｗ＜Ｗかつｌ＜Ｌとした請求項２又は３に記載の集塵容器。
【請求項５】
スカート部の少なくとも流入口に相対する位置に高強度材料を用いた請求項１〜４のいずれか１項に記載の集塵容器。
【請求項６】
スカート部の少なくとも一部を通気性材料で形成した請求項１〜５のいずれか１項に記載の集塵容器。
【請求項７】
スカート部の流入口に相対する位置に非通気性材料を用いた請求項１〜６のいずれか１項に記載の集塵容器。
【請求項８】
スカート部の流入口全周に軟質材料で形成したパッキンを設けた請求項１〜７のいずれか１項に記載の集塵容器。
【請求項９】
請求項１〜８のいずれか１項に記載の集塵容器を備えた電気掃除機。
【発明の詳細な説明】
【技術分野】
【０００１】
本発明は、電気掃除機本体に装着される集塵容器および電気掃除機に関するものである。
【背景技術】
【０００２】
従来のこの種の集塵容器としては、集塵部を形成する面の一部を可動とし、捕集した塵埃に外力を加えることで塵埃を圧縮したり、廃棄性を高めるなどといった形で、使い勝手を向上させるものがある（例えば、特許文献１参照）。
【特許文献１】特開２００５−０５８７８７号公報
【発明の開示】
【発明が解決しようとする課題】
【０００３】
しかしながら、上記のような集塵容器の構成では塵埃の圧縮、或いは廃棄操作時などに、可動側を形成する集塵部壁面と、それ以外の固定の集塵部壁面の間に隙間が発生するため、この隙間に挟まった塵埃の廃棄が不完全となるなどの課題があった。
【０００４】
本発明は上記課題を解決するもので、集塵容器内の塵埃を、手を汚すことなく、簡単にしかも確実に廃棄できる、使い勝手のよい集塵容器およびこれを具備した電気掃除機を提供することを目的とする。
【課題を解決するための手段】
【０００５】
上記従来の課題を解決するために、本発明の集塵容器は、塵埃を捕集する集塵室と、前記集塵室に設けられた塵埃排出用の開口部と、前記開口部を開閉自在に覆う蓋体と、塵埃を含んだ空気から塵埃を分離するための通気部を有すると共に前記集塵室内で捕集した塵埃を押し出す押し出し板と、前記押し出し板を操作する操作部と、塵埃が流入する流入口を有すると共に押し出し板の外周部全周に固定され軟質材料で形成したスカート部とを備え、前記スカート部の前記押し出し板固定側の他端全周を前記開口部近傍に固定したもので、ごみ捨て時には、操作部で押し出し板を操作すると、押し出し板の動きに伴ってスカート部が移動して集塵室に捕集された塵埃を囲んで押し出す為、集塵室内に捕集された塵埃を残さず開口部方向へ押し出すことができるので、集塵容器内のごみを、より確実に廃棄でき、使い勝手を向上できる。
【０００６】
また、本発明の電気掃除機は、請求項１〜８のいずれか１項に記載の集塵容器を備えたもので、集塵室内に捕集された塵埃を残さず開口部方向へ押し出すことができるので、集塵容器内のごみを、手を汚すことなく、簡単に廃棄でき、使い勝手が良いものである。
【発明の効果】
【０００７】
本発明の集塵容器は、集塵容器内の塵埃を、手を汚すことなく、しかもより確実に廃棄できるものである。
【発明を実施するための最良の形態】
【０００８】
第１の発明は、塵埃を捕集する集塵室と、前記集塵室に設けられた塵埃排出用の開口部と、前記開口部を開閉自在に覆う蓋体と、塵埃を含んだ空気から塵埃を分離するための通気部を有すると共に前記集塵室内で捕集した塵埃を押し出す押し出し板と、前記押し出し板を操作する操作部と、塵埃が流入する流入口を有すると共に押し出し板の外周部全周に固定され軟質材料で形成したスカート部とを備え、前記スカート部の前記押し出し板固定側の他端全周を前記開口部近傍に固定したもので、ごみ捨て時には、操作部で押し出し板を操作すると、押し出し板の動きに伴ってスカート部が移動して集塵室に捕集された塵埃を囲んで押し出す為、集塵室内に捕集された塵埃を残さず開口部方向へ押し出すことができるので、集塵容器内のごみを、より確実に廃棄でき、使い勝手を向上できる。
【０００９】
第２の発明は、特に、第１の発明のスカート部の押し出し板固定側の他端全周を枠体に固定し、同枠体を開口部の近傍に着脱自在に固定したもので、枠体を外す事でスカート部の裏面など、通常では困難な部位まで容易に手入れすることができる。
【００１０】
第３の発明は、特に、第２の発明の枠体を軟質材料で形成し、蓋体が開口部を閉じたときに、前記枠体が前記蓋体に当接するようにしたもので、蓋体外周部における集塵容器の密閉性を別の部品を追加することなく向上させることができる。
【００１１】
第４の発明は、特に、第２又は第３の発明の押し出し板の外寸法幅ｗおよび長さｌと、枠体の内寸法幅Ｗおよび長さＬが、ｗ＜Ｗかつｌ＜Ｌとしたもので、押し出し板が枠体の内側を通過することが可能となるため押し出し板のストロークを大きくとることが可能となり、集塵容器内のごみを、より確実に廃棄でき、使い勝手を向上できる。
【００１２】
第５の発明は、特に、第１〜４のいずれか一つの発明のスカート部の少なくとも流入口に相対する位置に高強度材料を用いたもので、近年益々ハイパワー化する電気掃除機で尖った物などを吸引した場合でも、軟質材料で形成されたスカート部が損傷しにくくなり、耐久性を向上できる。
【００１３】
第６の発明は、特に、第１〜５のいずれか一つの発明のスカート部の少なくとも一部を通気性材料で形成したもので、より広い通気面積が確保され、ハイパワー化が容易で、かつ目詰まりの発生しにくい集塵部を形成することが可能となり、集塵性能と使い勝手を向上できる。
【００１４】
第７の発明は、特に、第１〜６のいずれか一つの発明のスカート部の流入口に相対する位置に非通気性材料を用いたもので、スカート部を通気性材料で形成する場合に最も人毛やペットの毛などが引っ掛かり易い、或いは貫通し易い部位を非通気化することで下流側への塵埃の漏れを減少させることができ、長期間使用時でも性能の低下が少なくなるなど、集塵性能と使い勝手を向上できる。
【００１５】
第８の発明は、特に、第１〜７のいずれか一つの発明のスカート部の流入口全周に軟質材料で形成したパッキンを設けたもので、メッシュ材などの織物でスカート部を形成した場合などが特にそうであるが、ほつれ等で損傷し易く、また塵埃廃棄操作で張力が繰り返しかかるなどで疲労劣化しやすい部位の補強となり、流入口を起点としたスカート部の損傷が発生しにくくなり、耐久性を向上できる。
【００１６】
第９の発明は、請求項１〜８のいずれか１項に記載の集塵容器を備えた電気掃除機としたもので、集塵室内に捕集された塵埃を残さず開口部方向へ押し出すことができるので、集塵容器内のごみを、手を汚すことなく、簡単に廃棄でき、電気掃除機としての使い勝手を向上できる。
【００１７】
以下、本発明の実施の形態について、図面を参照しながら説明する。なお、この実施の形態により本発明が限定されるものではない。
【００１８】
（実施の形態１）
本発明の実施の形態１における集塵容器及びこれを搭載した電気掃除機について図１〜１０を用いて説明する。
【００１９】
図１は、本実施の形態における集塵容器を搭載した電気掃除機の全体斜視図、図２は同電気掃除機の掃除機本体の中央断面図を示す。
【００２０】
図１、図２において、掃除機本体１は、吸引風を発生させる電動送風機２と、電動送風機２の吸引風の上流側に着脱自在で塵埃を捕集する集塵容器３を備え、集塵容器３は、集塵容器収納部４に収納される。さらに集塵容器３の上流側には、塵埃が流入する本体吸気口５を備え、本体吸気口５にはホース６の一端が接続され、他端には延長管７を介して床用吸込み口８を接続している。
【００２１】
次に図３〜図１０を用いて集塵容器３の詳細について説明する。
【００２２】
集塵容器３は、集塵容器本体９と、集塵容器３の外郭の一部を形成すると共に、塵埃を含む空気の集塵容器３への入口となる吸気パイプ１０を形成するカバー体１１と、集塵容器本体９の後方開口部に着脱自在に装着されるフィルターユニット１２から構成されている。
【００２３】
集塵容器本体９は、塵埃を捕集するための集塵室１３を備え、集塵室１３は、塵埃を排出するための開口部１４を備えている。さらに、集塵容器本体９には、開口部１４を開閉自在に覆う蓋体１５が軸支されており、蓋体１５は、バネ体１６により開方向に付勢されている。さらに、集塵容器本体９は、蓋体１５を閉状態に保持する尾錠１７と、蓋体１５を開状態にする操作部１８を備えており、操作部１８は、操作部バネにより上方向に付勢されている。また、操作部１８には、尾錠１７の回動を操作する尾錠操作部２０を一体に形成している。
【００２４】
一方、集塵室１３は、側壁を形成するスカート部２１と、天面を形成する押し出し板２２と、およびスカート部２１の下端全周に設けられた枠体２３とで構成されている。スカート部２１は、主として通気性のあるメッシュ材料で形成されており、吸気パイプ１０に相対する側には流入口２１Ａ、流入口２１Ａと相対する面には非通気部２１Ｂが設けられている。押し出し板２２の幅ｗおよび長さｌと、枠体２３の内寸法幅Ｗおよび長さＬの関係はそれぞれｗ＜Ｗ、ｌ＜Ｌとなっており、これらを繋ぐスカート部２１は略角錘台形状を成している。
【００２５】
押し出し板２２に形成した押し出し板連結部２７と、操作部１８に形成した操作部連結部２８は、約５ｍｍのストロークがフリーな状態で連結しており、押し出し板２２と操作部１８は連動して動作する。また、押し出し板２２は、通気部として材質がＳＵＳでメッシュ状のメッシュフィルター２９を備え、塵埃を捕集する。さらに、流入口２１Ａ外周の吸気パイプ１０と当接する部位に、エラストマー等の軟質材からなりごみ漏れを防止するパッキン３０を有し、集塵容器本体９の負圧部内面３１との間の位置に空気漏れを防止するエアータイトパッキン３２を備えている。
【００２６】
また、操作部１８と連動し上下に摺動可能で、操作部１８の下部空間ならびに摺動後の上部空間を遮蔽する遮蔽板３３を備え、さらに遮蔽板３３の下部には、遮蔽板３３の摺動位置を規制する規制体３４を備えている。
【００２７】
スカート部２１に用いるメッシュ材料は柔軟性があり、かつ高強度のアラミド繊維とし、また、非通気部２１Ｂ、枠体２３およびパッキン３０はエラストマーとしており、スカート部２１の主体を成すメッシュ材料は非通気部２１Ｂを含む略全周にまで回り込んでいる。
【００２８】
以上のように構成された電気掃除機について、以下その動作、作用を説明する。
【００２９】
掃除機本体１の運転を開始すると、電動送風機２が運転して吸引力が発生し、塵埃を含んだ空気が、床用吸込み口８から吸い込まれ、延長管７およびホース６、本体吸気口５を通り、集塵容器３の集塵室１３に入る。集塵室１３ではスカート部２１、ならびにメッシュフィルター２９により塵埃と空気が分離され、塵埃は集塵室１３内で捕集され堆積していく。
【００３０】
また、スカート部２１ならびにメッシュフィルター２９を通過した空気中に含まれる微細塵は、フィルターユニット１２により捕集される。
【００３１】
この時、集塵室１３の側壁は、非通気部２１Ｂを除き全面を通気面積としており、従来のような剛体の枠や格子を持つ集塵室と比較してより広い通気面積が確保されている。
【００３２】
次に、捕集した塵埃を排出する際には、操作部１８を下方向に押すと、尾錠操作部２０を介して尾錠１７が開方向に回動して蓋体１５の係止を解除し、蓋体１５がバネ体１６の付勢力により開く。この時、塵埃が集塵室１３内にぎっしり詰まった状態では、塵埃は重力のみでは下方向に落ちず、集塵室１３内に溜まった状態のままである。
【００３３】
さらに操作部１８を下方向に押すと、操作部１８に連動して押し出し板２２も下方向に動作し、塵埃を押し出して開口部１４より排出できるため、集塵容器３内の塵埃を、手を汚すことなく、簡単に廃棄できる。この時、蓋体１５を開く操作部１８は押し出し板２２と連動しているため、蓋体１５を開く操作と、押し出し板２２の塵埃を押し出す操作が分かれていることを意識することなく、一連の操作で簡単に塵埃を廃棄することができる。
【００３４】
また、押し出し板２２の外周部全周に軟質材料で形成したスカート部２１を固定し、スカート部２１の押し出し板２２への固定側の他端全周を集塵容器３の開口部１４近傍に固定したので、ごみ捨て時には、操作部１８で押し出し板２２を操作すると、押し出し板２２の動きに伴ってスカート部２１が移動して集塵室１３に捕集された塵埃を囲んで押し出す為、集塵室１３内に捕集された塵埃を残さず開口部１４方向へ押し出すことができるので、集塵容器３内のごみを、より確実に廃棄できるのみでなく、従来の集塵室側壁が固定で、側壁の材料と捕集された塵埃との間での滑り易さ、離れ易さが要求される構成では吸引力やコストなど別な要件では有利であっても、塵埃排出性確保のために採用対象とならなかった材料も、これらの課題が構造的に解決できるために選択肢として加えることができるため、使い勝手のみならず、性能面やコスト面でもメリットがある。
【００３５】
また、スカート部２１の押し出し板２２固定側の他端全周を枠体２３に固定し、この枠体２３を開口部１４の近傍に着脱自在に固定したので、枠体２３を外す事でスカート部２１の裏面など、通常では困難な部位まで容易に手入れすることができる。
【００３６】
また、スカート部２１の押し出し板２２固定側の他端全周に固定した枠体２３をエラストマーで形成し、開口部１４端部に、開口部１４を開閉自在に覆う蓋体１５が閉状態で当接するように固定したので、蓋体１５外周部における集塵容器３の密閉性を、新たに部品を追加することなく向上させることができる。
【００３７】
また、押し出し板２２の外寸法幅ｗおよび長さｌと、枠体２３の内寸法幅Ｗおよび長さＬが、ｗ＜Ｗかつｌ＜Ｌとした略台形状に形成したので、押し出し板２２が枠体２３の内側を通過することが可能となるため押し出し板２２のストロークを大きくとることが可能となり、集塵容器３内のごみを、より確実に廃棄でき、使い勝手を向上できるのみならず、製品組み立て前の部品仕掛かり状態で必要な体積が約半分に減少し、部品保管スペースの縮小にも貢献できるものである。
【００３８】
また、スカート部２１の、少なくとも流入口２１Ａに相対する位置に高強度材料を用いたので、近年益々ハイパワー化する電気掃除機で尖った物などを吸引した場合に、軟質材料で形成されたスカート部２１の損傷を防ぐばかりでなく、本実施の形態のように全周にわたって高強度材料を使用することで、ごみ捨て動作の度に繰り返しスカート部２１にかかる屈曲での疲労劣化も防止することが可能となり、耐久性を向上させることができる。
【００３９】
また、スカート部２１は、通気性のあるメッシュ材料にて形成しており、また集塵室１３の側面には格子がなく、意図的に設けた非通気部２１Ｂを除いて全面が通気性を持っているため従来構成に比べハイパワー化が容易となり、かつ目詰まりの発生しにくい集塵部を形成することが可能となり、集塵性能と使い勝手を向上できる。
【００４０】
また、スカート部２１の流入口２１Ａに相対する位置に非通気部２１Ｂを設けたので、スカート部２１を通気性材料で形成する場合に最も人毛やペットの毛などが引っ掛かり易い、或いは貫通し易い部位を非通気化することで下流側への塵埃の漏れを減少させることができ、長期間使用時でも性能の低下が少なくなるなど、集塵性能と使い勝手を向上できる。
【００４１】
また、スカート部２１の流入口２１Ａ全周にエラストマーにてパッキン３０を設けたので、流入口２１Ａの開口周縁を補強することができ、スカート部２１の主体を成すメッシュ材料が流入口２１Ａを起点としたほつれなどを原因として損傷、劣化するのを防止することできるばかりではなく、本実施の形態では吸気パイプ１０と当接するようにすることで同部位でのごみタイト性も向上させることも可能となり、耐久性以外に、使い勝手も向上できる。
【産業上の利用可能性】
【００４２】
以上のように、本発明にかかる集塵容器は、集塵容器内のごみを、手を汚すことなく、簡単に廃棄でき、使い勝手を向上できるので、着脱自在の集塵容器を有する家庭用、業務用電気掃除機に特に有用である。
【図面の簡単な説明】
【００４３】
【図１】本発明の実施の形態１における集塵容器を搭載した電気掃除機の全体斜視図
【図２】同電気掃除機の掃除機本体の中央断面図
【図３】同電気掃除機の集塵容器の全体斜視図
【図４】同集塵容器の蓋体を開状態にした全体斜視図
【図５】同集塵容器の中央断面図
【図６】同集塵容器のカバー体を取り外した状態の全体斜視図
【図７】同集塵容器の主要部品の断面斜視図
【図８】同集塵容器の集塵室の要部断面図
【図９】同集塵室の要部断面図
【図１０】同集塵室の分解斜視図
【符号の説明】
【００４４】
１３    集塵室
１４    開口部
１５    蓋体
１８    操作部
２１    スカート部
２１Ａ  流入口
２２    押し出し板
２３    枠体
２９    メッシュフィルター（通気部）
３０    パッキン
【図１】
2007151856.tif 000003
【図２】
2007151856.tif 000004
【図３】
2007151856.tif 000005
【図４】
2007151856.tif 000006
【図５】
2007151856.tif 000007
【図６】
2007151856.tif 000008
【図７】
2007151856.tif 000009
【図８】
2007151856.tif 000010
【図９】
2007151856.tif 000011
【図１０】
2007151856.tif 000012